(57)【特許請求の範囲】
【請求項１】
合成樹脂シートからなる表裏表紙と背表紙とからなる長方形のカバー本体と、該カバー本体の少なくとも一方の内面に背側が開口されると共に、他の外縁部がカバー本体の外縁に固着された合成樹脂シートからなる支持片と、厚手物品を収納可能とした二枚の収納部片からなるポケット部とを備えたカバーであって、該収納部片の開口側辺以外の周側辺の各辺に厚み方向に折曲可能の襠片をそれぞれ延設し、対接される各襠片の端縁を互いに重合溶着して袋状のポケット部を構成すると共に、前記カバー本体の他方の内面に、該ポケット部の収納部片を各襠片の溶着端縁に沿って装着したことを特徴とする手帳等用カバー。
【請求項２】
請求項１に記載の手帳等用カバーにおいて、長方形の収納部片の三辺に襠片を突設して凸状の樹脂シートとして、この樹脂シートの二枚の積層体からポケット部が形成されているものであって、前記襠片の溶着端縁に沿って一方の収納部片をカバー本体の内面に装着することを特徴とする手帳等用カバー。
【請求項３】
請求項１または請求項２のいずれか１項に記載の手帳等用カバーにおいて、前記ポケット部が襠片つきの二枚の収納部片を上下に重合して積層構成され、上側の収納部片の一部に溶着治具挿入用穴を形成することにより、該穴の位置で重合される下側の収納部片を前記カバー本体の内面に溶着配備することを特徴とする手帳等用カバー。
【請求項４】
請求項１または請求項２のいずれか１項に記載の手帳等用カバーにおいて、前記ポケット部が二枚の襠片つき収納部片を重合して積層構成され、下側の収納部片を前記カバー本体の端縁に固着し、該下側収納部片に上側収納部片を重合して、前記襠片の端縁を溶着してポケット部を備えることを特徴とする手帳等用カバー。
【請求項５】
背表紙の両側に表裏表紙を連続形成した長方形の合成樹脂シートのカバー本体の少なくとも一方の内面に合成樹脂シートからなる支持片をその背側が開口され、かつ他の外縁部がカバー本体の外縁に互いに重なり合うように固着する工程と、該カバー本体の他方の内面に合成樹脂シートからなる収納部片によって、厚手物品を収納しうるポケット部を溶着配備する工程とからなる手帳等用カバーを製造する方法において、長方形の前記収納部片の三辺に厚み方向に折曲可能の襠片をそれぞれ延設した二枚の合成樹脂シートを重合積層して、該襠片の重合端縁を溶着してポケット部を形成すると共に、該ポケット部の収納部片の下側樹脂シートを前記カバー本体の表紙内面に溶着治具により固着配備することを特徴とする手帳等用カバーの製造方法。
【請求項６】
請求項５に記載の手帳等用カバーの製造方法において、前記ポケット部の襠片つき上側収納部片の樹脂シートに予め溶着治具挿入用穴を襠片に沿って複数配列形成し、該穴の位置で重合される下側収納部片を前記カバー本体の内面に溶着することを特徴とする手帳等用カバーの製造方法。
【請求項７】
請求項５に記載の手帳等用カバーの製造方法において、前記ポケット部の二枚の樹脂シートからなる襠片つき収納部片の下側収納部片を前記カバー本体の内側端縁に溶着固定し、該下側収納部片の上に上側収納部片を重合積層し、各襠片の端縁を直線状に溶着一体化して厚手物品を収納可能の袋状のポケット部を形成して備えることを特徴とする手帳等用カバーの製造方法。
【請求項８】
背表紙の両側に表裏表紙を連続形成した長方形の合成樹脂シートのカバー本体の少なくとも一方の内面に合成樹脂シートからなる支持片をその背側が開口され、かつ他の外縁部がカバー本体の外縁に互いに重なり合うように固着する工程と、該カバー本体の他方の内面に合成樹脂シートからなる収納部片によって、厚手物品を収納しうるポケット部を溶着配備する工程とからなる手帳等用カバーを製造する方法において、前記カバー本体の他方の一端部側三辺に厚み方向に折曲可能の襠片を突設した樹脂シートを用い、該襠片に重合する襠片を三辺に有し、かつ溶着治具挿入用穴を該襠片に沿って複数配列形成した長方形の収納部片を中仕支持片を介して積層し溶着治具により、前記溶着治具挿入用穴の位置で重合される中仕支持片を前記カバー本体の内面に溶着すると共に、両襠片の重合端縁を溶着してポケット部を形成することを特徴とする手帳等用カバーの製造方法。
【請求項９】
請求項８に記載の手帳等用カバーの製造方法において、前記支持片をカバー本体の内面に溶着する際に、前記ポケット部の中仕支持片を溶着固定したのち、ポケット部の収納部片襠片端縁を溶着することを特徴とする手帳等用カバーの製造方法。
【発明の詳細な説明】
【０００１】
【発明の属する技術分野】
本発明は、手帳カバー、書籍カバー、日記帳カバー、その他ファイルやノートなどに用いられる合成樹脂シートからなるカバーに関するものである。
【０００２】
【従来の技術】
従来より、手帳や書籍などの表紙の汚れや損傷などをなくすために、その表面を覆って保護する手帳カバーなどが合成樹脂シートにより構成されたものが多用されている。
そして、この種のカバーには、利用者の便宜をはかるためにカードやその他各種の携帯物品を装着或いは収納できるようにしたものが知られている。例えば、手帳カバーにおいて、手帳表紙を差し込み保持する支持片を設けて、さらにキャッシュカードやテレフォンカード等を差し込んで収納する紙状体収納部や厚手部品を収納する袋状のポケット部を設けたものが知られている。特に、このポケット部としては例えば、厚手部品を収納させるためにはポケット部の周縁部には厚み方向にゆとりを持たせるために仕切片となる襠片を設けて立体的にふくらむポケット部とすることが知られている。
【０００３】
【発明が解決しようとする課題】
しかし、従来の襠片つきのポケット部では製作が煩雑で、殊にポリ塩化ビニル系或いはポリオレフィン系の合成樹脂シートによって熱押型或いは高周波ウエルダなどの圧着手段での溶断或いは溶着、切断加工する作業では襠片の形成に折り込み作業の製造工程が加わるほかに、平面的な溶着加工ができないために手数がすこぶるかかり、作業が複雑化して生産性が上げられないし、形もうまく整えられなく整形性が悪くコスト高にもなると共に、溶断、溶着での熱加工作業での安全性確保も容易でなく問題があった。
本発明では、これら従来の諸欠点を容易に排除しようとするもので、手帳カバー等に備えられる襠片つきポケット部を平面加工によりカバー本体に確実に整形性良く高強度で低コストに設けることができ、合成樹脂シートの溶着時の加工条件の設定も容易で加工作業上での安全性も高い、手帳等用カバーを構成簡単で安価な形態で提供することを目的としたものである。
【０００４】
【課題を解決するための手段】
合成樹脂シートからなる表裏表紙と背表紙とからなる長方形のカバー本体と、該カバー本体の少なくとも一方の内面に背側が開口されると共に、他の外縁部がカバー本体の外縁に固着された合成樹脂シートからなる支持片と、厚手物品を収納可能とした二枚の収納部片からなるポケット部とを備えたカバーであって、該収納部片の開口側辺以外の周側辺の各辺に厚み方向に折曲可能の襠片をそれぞれ延設し、対接される各襠片の端縁を互いに重合溶着して袋状のポケット部を構成すると共に、前記カバー本体の他方の内面に、該ポケット部の収納部片を各襠片の溶着端縁に沿って装着したものである。
【０００５】
また、本発明の特徴では、背表紙の両側に表裏表紙を連続形成した長方形の合成樹脂シートのカバー本体の少なくとも一方の内面に合成樹脂シートからなる支持片をその背側が開口され、かつ他の外縁部がカバー本体の外縁に互いに重なり合うように固着する工程と、該カバー本体の他方の内面に合成樹脂シートからなる収納部片によって、厚手物品を収納しうるポケット部を溶着配備する工程とからなる手帳等用カバーを製造する方法において、長方形の前記収納部片の三辺に厚み方向に折曲可能の襠片をそれぞれ延設した二枚の合成樹脂シートを重合積層して該襠片の重合端縁を溶着してポケット部を形成すると共に、該ポケット部の収納部片の下側樹脂シートを前記カバー本体の表紙内面に溶着治具により固着配備することにある。
【０００６】
請求項１の発明においては、手帳カバー等に備えられる襠片つきポケット部が合成樹脂シートからなる表裏表紙と背表紙とからなる長方形のカバー本体と、該カバー本体の少なくとも一方の表表紙の内面に背側が開口されると共に、他の外縁部がカバー本体の外縁に固着された合成樹脂シートからなる支持片とを設け、また裏表紙の内面に、厚手物品を収納可能とした二枚の収納部片からなるポケット部とを備えたカバーであって、該収納部片の開口側辺以外の周側辺の各辺に厚み方向に折曲可能の襠片をそれぞれ延設し、対接される各襠片の端縁を互いに重合溶着し、溶着端縁として袋状のポケット部を構成すると共に、前記カバー本体の他方の裏表紙の内面に、該ポケット部の収納部片を各襠片の溶着端縁に沿って装着してカバー本体にポケット部が形成されている。
したがって襠片つきポケット部がカバー本体に平面加工によって確実に整形性良く、高強度で低コストに設けることができる。また合成樹脂シートのカバー本体と収納部片とのみを溶着し、襠片の溶着加工が平面的に熱押型などの圧着作業で出来るため、溶着強度も高く作業性もすこぶる簡便化でき、特にポリオリフィン系の合成樹脂シートでのカバー製造を確実で良好にできる。
【０００７】
また、請求項２〜請求項４の発明においては、襠片つきポケット部が、平坦状態の合成樹脂シートで形成されるので、折り込み加工が必要なく熱押型などの作動も単純化されて熱加工作業での安全性も著しく高められるし、接着強度の均一化をも容易にはかることができる。
【０００８】
さらに、請求項５〜請求項７の発明では、手帳カバー等に備えられる襠片つきポケット部をカバー本体に平面加工によって確実に整形性良く高強度で低コストに設けることができ、合成樹脂シートの溶着時の加工条件の設定も容易で加工作業上での安全性も高めることができる。
【０００９】
また、請求項８〜請求項９の発明では、ポケット部の補強化と収納物品の保護を確実化すると共に、合成樹脂シートの溶着強度も高められ接着時の加工条件の設定も容易で作業性を著しく良好にすることができる。
【００１０】
【発明の実施の形態】
本発明の実施形態を図面に基づいて説明する。
図１は、本発明の手帳カバーの第１実施例を示し、合成樹脂シートからなる表裏表紙１１ ，１２ と背表紙１３ とからなる長方形のカバー本体１と、該カバー本体１の少なくとも一方の表表紙１１ の内面に背側が開口されると共に、他の外縁部がカバー本体１の外縁に固着された合成樹脂シートからなる支持片２を設け、さらに裏表紙１２ の内面に、厚手物品を収納可能とした収納部片３１ ，３２ からなるポケット部３とを備えたカバーであって、該収納部片３１ ，３２の開口側辺以外の周側辺の各辺に厚み方向に折曲可能の襠片４をそれぞれ延設し、対接される各襠片４の端縁を互いに重合溶着して溶着端縁４１ として、袋状のポケット部３を構成すると共に、前記カバー本体１の他方の裏表紙１２ の内面に、該ポケット部３の収納部片３２ を各襠片４の溶着端縁４１ に沿って装着して手帳等用カバーとしてある。
【００１１】
前記ポケット部３としては、長方形の収納部片３１ ，３２ の三辺に襠片４を突設して凸状の樹脂シートとして、この樹脂シートの二枚の積層体からポケット部３が形成されているものであって、前記襠片４の溶着端縁４１ に沿って一方の下側収納部片３２ を裏表紙１２ の内面に装着してカバー本体１に設けられた手帳等の支持片２に対設するのがよい。
【００１２】
図示のもので前記カバー本体１及び支持片２或いは収納部片３１ は、透明、半透明、不透明または各種の着色された樹脂シートを長方形に形成したもので、これらの樹脂の種類としては、例えばＰＶＣ（ポリ塩化ビニル）、ＰＥ（ポリエチレン）、ＥＶＡ（エチレンビニルアセテート）、ＰＰ（ポリプロピレン）、ＥＭＭＡ、ＥＭＡ等が挙げられる。
【００１３】
前記支持片２は、手帳などの表紙を差し込み押え保持しておく部分であり、カバー本体１の内面の両側即ち、表表紙１１ と裏表紙１２ の内面のいずれか或いは両方に設けられる。この支持片２はカバー本体１の背表紙１３ 側の一辺のみが開口されると共に、他の三辺の外縁部が熱押型或いは高周波ウエルダ、超音波溶着治具その他の熱溶着治具等の溶着によって固着される。
また、前記カバー本体１に備えられる支持片２の上に襠片４つきの収納部片３１ を重合溶着してポケット部３を形成したり、或いはこの支持片２に代えて襠片４つきの収納部片３１ ，３２ を積層して構成したポケット部３を溶着してカバー本体１の内面の左右両側にポケット部３，３を配備することもできる。
さらに、前記ポケット部３は、厚手物品、例えば車検証その他分厚い書類や厚ものカード或いは束ねたメモ片、アドレス帳等を収納しておく部分であり、前記支持片２と同様に手帳の表紙を差し込んで押えておくことも重ねて用いられてもよく、背表紙側を開口した袋状のポケット部３に構成されている。
【００１４】
図１の実施例での前記ポケット部３としては、二枚の襠片４つき収納部片３１，３２ を上下に重合して積層構成されるが、収納部片３１ ，３２ の襠片４同士を溶着端縁４１ で溶着する際に、同時に収納部片３２ をカバー本体１の内面に溶着してポケット部３を配備する。例えば、上側の収納部片３１ の一部に溶着治具挿入用穴５を形成することにより、該穴の位置で重合される下側の収納部片３２ をカバー本体１の裏表紙１２ の内面に前記溶着治具による接着部６で接着配備することで、立体ポケット部３の溶着作業が平面加工で容易に行うことができるが、下側の収納部片３２ をカバー本体１の端縁に接着線部７で固着したのち、該下側収納部片３２ に上側収納部片３１ を重合して、前記襠片４の端縁を溶着端縁４１ で溶着してポケット部３を備えることでも平面加工できる。
【００１５】
なお、これら実例での前記支持片２およびポケット部３の溶着構成には、筋押入ウエルダ或いはビク抜き加工（型押加工）または接着シールと切断とを同時に行うウエルダ焼切り加工或いは溶断加工することが選んでできる。
また、前記下側収納部片３２ を上方から型押溶着する際に平面加工しやすくするため上側収納部片３１ を開口側で若干ずらせた状態（寸法を短くした状態）で重ね、背表紙１３ に接着線の溶着取付部８によって固着し、裏表紙１２ との間に内袋部１０を形成するのが便利であり、さらに上側収納部片３１ の開口側に切欠部９を形成してポケット部３への厚手部品の取出し、挿入をしやすくするように配慮されている。
【００１６】
図５の第２実施例では、前記ポケット部３として溶着工程を二段に分けて加工するもので、二枚の襠片４つきの収納部片３１ ，３２ を上下に重合して積層構成するに際して、予め下側の収納部片３２ をカバー本体１の裏表紙１２ 側の内面で外周縁の三辺に溶着線部７で固着したのち、該下側収納部片３２ の上に上側収納部３１ を重合して、各襠片４の端縁を溶着した溶着端縁４１ として背表紙１３ 側が開口した袋状のポケット部３を備えたものであり、厚手部品の押込み収納時に襠片４によってポケット部３がふくらみ体裁良好に整形されて用いられる。
【００１７】
図６の第３実施例では、カバー本体１を完成させたのち、即ち、カバー本体１の表裏表紙１１ ，１２ の一方または両方に背表紙１３ の間隔をあけて、支持片２を筋押入ウエルダで溶着配備したものに、収納部片３１ ，３２ の外周縁の３辺をウエルダ焼き切りで溶着切断してシールした袋状のポケット部３を重ねて溶着固定したものであり、ポケット部３の配備には上側収納部片３１ に形成した溶着治具挿入穴５を通して溶着治具を挿入して下側収納部片３２ カバー本体１の内面に溶着部６で固着すれば、平面で立体的なポケット部３をカバーに容易に造ることができる。
【００１８】
図７の第４実施例では、合成樹脂シートからなる前記カバー本体１の少なくとも一端部側の三辺に襠片４２ を突設すると共に、該襠片４２ に重合しうる襠片４を三辺に有する長方形の収納部片３を積層して、各襠片４，４２ の端縁を互いに溶着部４１ で溶着したポケット部３を備えている手帳等用カバーとしたものである。
【００１９】
この場合、背表紙１３ の両側に表表紙１１ と、裏表紙１２ を連続形成した長方形の合成樹脂シートのカバー本体１の少なくとも一方の内面に合成樹脂シートからなる支持片２をその背側が開口され、かつ他の外縁部がカバー本体１の外縁に互いに重なり合うように固着してあって、カバー本体１はその他方の一端部側三辺に厚み方向に折曲可能の襠片４２ を突設した合成樹脂シートを用い、該襠片４２ に重合する襠片４を三辺に有し、かつ溶着治具挿入用穴５を該襠片４に沿って複数配列形成した長方形の収納部片３１ を中仕支持片２１ を介して積層したのち、溶着治具により前記溶着治具挿入用穴５の位置で重合される中仕支持片２１ を前記カバー本体１の内面に溶着すると共に、両襠片の重合端縁を溶着した溶着端縁４１ としてポケット部３を形成するのがよい。
【００２０】
【発明の効果】
本発明によれば、合成樹脂シートからなる表裏表紙と背表紙とからなる長方形のカバー本体と、該カバー本体の少なくとも一方の内面に背側が開口されると共に、他の外縁部がカバー本体の外縁に固着された合成樹脂シートからなる支持片と、厚手物品を収納可能とした収納部片からなるポケット部とを備えたカバーであって、該収納部片の開口側辺以外の周側辺の各辺に厚み方向に折曲可能の襠片をそれぞれ延設し、対接される各襠片の端縁を互いに重合溶着して袋状のポケット部を構成すると共に、前記表紙の他方の内面に、該ポケット部の収納部片を各襠片の溶着端縁に沿って装着したことにより、手帳カバー等に備えられる襠片つきポケット部をカバー本体に平面加工によって確実に整形性良く高強度で低コストに設けることができ、合成樹脂シートの溶着時の加工条件の設定も容易で加工作業上での安全性も著しく向上できる。
【００２１】
また、本発明の手帳等用カバーの製造方法によれば、平面加工作業で立体的なポケット部の配備ができるので、製造工程も簡便化され、作業性を著しく向上できるほか、整形性も良好にし、熱加工の溶断作業にも支障が生ずることなくポリオレフィン系の合成樹脂シートをも高強度で低コストに生産することができる。
【図面の簡単な説明】
【図１】本発明による手帳カバーの第１実施例を示す平面図であり、（ａ）は内面側を示し、（ｂ）は外面側を示す。
【図２】図１の例の手帳カバーを折り畳んだ状態を示す斜視図である。
【図３】図２のＡ−Ａ線における拡大縦断面図である。
【図４】本発明の第１実施例の加工工程順を示すシート素材の分離状態を示す平面図であり、（ａ）はパーツの平面図、（ｂ）は支持片を備えたカバー本体と、襠つきポケット部との加工半製品の平面図、（ｃ）は加工完成製品の展開平面図である。
【図５】本発明の第２実施例の加工工程順を示す平面図であり、（ａ）はパーツの平面図、（ｂ）はカバー本体に支持片およびポケット部片を備えた加工半製品の平面図、（ｃ）は加工完成製品の展開平面図である。
【図６】本発明の第３実施例の車検証入れを示し、（ａ）は展開平面図、（ｂ）はその斜視図である。
【図７】本発明の第４実施例の加工工程順を示し、（ａ）はシート素材の分離状態を示す平面図、（ｂ）は加工完成製品の展開平面図、（ｃ）はＢ−Ｂ線における拡大縦断面図である。
【符号の説明】
１    カバー本体
１１   表表紙
１２   裏表紙
１３   背表紙
２    支持片
３    ポケット部
３１   収納部片
４    襠片
４１   溶着端縁
５    溶着治具挿入用穴
６    溶着部
７    溶着線部
８    溶着取付部
９    切欠部
１０    内袋部
【図１】
0004663108.tif 000002
【図２】
0004663108.tif 000003
【図３】
0004663108.tif 000004
【図４】
0004663108.tif 000005
【図５】
0004663108.tif 000006
【図６】
0004663108.tif 000007
【図７】
0004663108.tif 000008